(57)【特許請求の範囲】
【請求項１】
光源を保持するとともに天井面に埋込配設される器具本体を備え、
器具本体は、天井材に貫設された埋込穴に挿通されて光源を保持する本体部と、それぞれ本体部の外周面から外向きに突設され天井材に係止される２本の第１係止ばね部及び１本の第２係止ばね部とを有し、
各係止ばね部は、それぞれ、先端部を本体部に対して上方へ変位させる方向へ回転するように弾性的に変位可能であって、
各第１係止ばね部の先端には、それぞれ、天井材への仮保持時に天井材に係止させるために、第１係止ばね部が先端を上方に向けるまで変位した状態で下方から見て本体部に対して外向きとなる方向に仮保持凸部が突設されていて、
各係止ばね部がそれぞれ先端を上方に向けるまで変位した状態では、第２の係止ばね部の先端は、いずれの第１係止ばね部の先端よりも下方に位置することを特徴とする照明器具。
【発明の詳細な説明】
【技術分野】
【０００１】
本発明は、天井面に埋込配設される照明器具に関するものである。
【背景技術】
【０００２】
従来から、天井面に埋込配設される照明器具が提供されている（例えば、特許文献１参照）。
【０００３】
この種の照明器具として、例えば図８及び図９に示すように、電球型の電気的な光源（図示せず）を保持した灯体１と、灯体１を保持するとともに天井面に埋込配設される器体２とを備えるものがある。
【０００４】
器体は、光源を囲む円筒形状であって天井材ＣＥ（図１１参照）に貫設された埋込穴ＣＥ１（図１１参照）に挿通される枠体２１と、それぞれ枠体２１の外周面から外向きに突設され天井材ＣＥに係止される３本の係止ばね２４とを有する。
【０００５】
各係止ばね２４は、それぞれ、厚さ方向を枠体２１の径方向へ向けて枠体２１に対して固定された固定部２４ａと、固定部２４ａの下端から枠体２１の径方向の外側へ突設された支持部２４ｂと、支持部２４ｂの先端から下方へ突設された仮保持凸部２４ｄとを有し、固定部２４ａと支持部２４ｂとがなす角を小さくするように弾性変形可能となっている。そして、支持部２４ｂが先端を上方に向けるまで係止ばね２４が弾性変形したときには、仮保持凸部２４ｄの突出方向は枠体２１の径方向の外向きとなる。
【特許文献１】特開平１０−１９９３２６号公報
【発明の開示】
【発明が解決しようとする課題】
【０００６】
上記のような照明器具を天井面に埋込配設する際には、まず、図１０に矢印Ａ５で示すように固定部２４ａに近づける方向の押力を支持部２４ｂに加えることで各係止ばね２４をそれぞれ支持部２４ｂの先端を上向きとするように弾性変形させながら、各仮保持凸部２４ｄがそれぞれ天井材ＣＥの上側に至るまで埋込穴ＣＥ１内に導入した上で、各係止ばね２４への押力を解除する。すると、各係止ばね２４はそれぞれ埋込穴ＣＥ１の内周面に弾接するまで弾性復帰し、ここにおいて図１１に示すように各仮保持凸部２４ｄはそれぞれ天井材ＣＥに係止され、器体２は天井材ＣＥに対して仮保持される。その後、器体２に上向きの力を加えて埋込穴ＣＥ１に押し込めば、各係止ばね２４がそれぞれさらに復帰し、各係止ばね２４の支持部２４ｂがそれぞれ埋込穴ＣＥ１の上側の開口縁において天井材ＣＥに弾接する（すなわち天井材ＣＥに係止される）ことで、器体２は天井材ＣＥに対して保持される。
【０００７】
しかし、上記従来例においては、仮保持凸部２４ｄを天井材ＣＥに係止させるときと係止を解除させるときとのいずれにおいても３本の係止ばね２４を全て同時に操作する必要があったため、天井面への取付時と天井面からの取外時とのいずれにおいても両手での作業が必須であり、施工性が低かった。
【０００８】
本発明は、上記事由に鑑みて為されたものであり、その目的は、施工性が向上した照明器具を提供することにある。
【課題を解決するための手段】
【０００９】
本発明は、光源を保持するとともに天井面に埋込配設される器具本体を備え、器具本体は、天井材に貫設された埋込穴に挿通されて光源を保持する本体部と、それぞれ本体部の外周面から外向きに突設され天井材に係止される２本の第１係止ばね部及び１本の第２係止ばね部とを有し、各係止ばね部は、それぞれ、先端部を本体部に対して上方へ変位させる方向へ回転するように弾性的に変位可能であって、各第１係止ばね部の先端には、それぞれ、天井材への仮保持時に天井材に係止させるために、第１係止ばね部が先端を上方に向けるまで変位した状態で下方から見て本体部に対して外向きとなる方向に仮保持凸部が突設されていて、各係止ばね部がそれぞれ先端を上方に向けるまで変位した状態では、第２の係止ばね部の先端は、いずれの第１係止ばね部の先端よりも下方に位置することを特徴とする。
【発明の効果】
【００１０】
本発明によれば、３本の係止ばね部のうち２本の第１係止ばね部を操作するだけで、仮保持凸部の天井材への係脱が可能であり、第２係止ばね部の操作は上記の係脱とは別途に行うことができ、取付時と取外時とのいずれにおいても係止ばね部を３本同時に操作する必要がないから、係止ばね部を３本とも第１係止ばね部とする場合に比べて施工性が向上する。
【発明を実施するための最良の形態】
【００１１】
以下、本発明を実施するための最良の形態について、図面を参照しながら説明する。
【００１２】
本実施形態は、図２及び図３に示すように、電気的な光源Ｌａを保持した灯体１と、扁平な天井材ＣＥで構成される天井面に埋込配設され灯体１を天井面に交差する面内で回転可能に軸支する器体２と、光源Ｌａへの給電用の給電線Ｃが電気的且つ機械的に接続される例えば速結端子のような周知の構造を有し器体２に保持された端子台３とを備える。光源Ｌａは具体的には赤外光を透過させ可視光を反射させるダイクロイックミラーが一体化されたハロゲン電球（いわゆるダイクール電球）であって、灯体１を器体２に対して回転させることで、光源Ｌａの光（可視光）の照射方向を変化させることができる。すなわち、上記の灯体１と器体２とで請求項における器具本体が構成されている。
【００１３】
灯体１は、光源Ｌａの口金が電気的且つ機械的に接続されるソケット１１と、ソケット１１が例えばねじ止めによって固定されるソケット台１２と、ソケット台１２に連結されて光源Ｌａの発光部を囲むセード１３とを備える。また、ソケット１１は、図示しない電線を介して端子台３に電気的に接続され、この電線と端子台３とを介して給電線Ｃに電気的に接続される。このようなソケット１１は周知技術で実現可能であるので、詳細な説明及び図示は省略する。また、ソケット台１２及びセード１３は、それぞれ例えば金属板に打ち抜き加工や曲げ加工や絞り加工といった適宜の加工を施すことによって形成される。
【００１４】
器体２は、灯体１を囲む環形状の枠体２１と、枠体２１の上端面に間に隙間を空けて対向する形で枠体２１に対して固定された保持枠２２と、一部が枠体２１と保持枠２２との間に挟まれることにより枠体２１に対して上下方向から見た面内で回転可能に支持されるとともに灯体１を軸支した回転枠２３と、それぞれ保持枠２２に対して固定されて天井材ＣＥに係止される３個の係止ばね２４，２５と、保持枠２２に対して固定されて端子台３を保持した端子台保持板２６とを備える。器体２を構成する上記の各部品は、それぞれ例えば、金属板に打ち抜き・曲げ・絞り等の適宜の加工が施されてなる。つまり、枠体２１と保持枠２２と回転枠２３とで請求項における本体部が構成されている。
【００１５】
枠体２１は、軸方向を上下方向に向けた円筒形状であって灯体１を囲み天井材ＣＥに上下に貫設された埋込穴ＣＥ１に挿通される本体部２１ａと、本体部２１ａの下端部から径方向の外向きに突設された円環形状の鍔部２１ｂとを有する。枠体２１とともに請求項における枠部を構成する保持枠２２と回転枠２３とは、それぞれ下方から見て鍔部２１ｂの外周より径方向の外側には突出しない。
【００１６】
保持枠２２は、上方から見て枠体２１の本体部２１ａに重なる円環形状であって枠体２１との間に回転枠２３を挟む本体部２２ａと、それぞれ本体部２２ａの外周端から下方へ突設されて枠体２１の本体部２１ａの外側に位置する複数個の外側片２２ｂとを有する。保持枠２２は、例えば外側片２２ｂのうちの複数個がそれぞれ枠体２１の本体部２１ａにねじ止めされることによって枠体２１に対して固定される。枠体２１に対する回転枠２３の上下方向への変位は既に述べたように枠体２１と保持枠２２とによって制限され、枠体２１に対する回転枠２３の平行移動であって水平方向（枠体２１の下側の開口面に沿った方向）への平行移動は、外側片２２ｂによって制限される。
【００１７】
また、回転枠２３は、例えば灯体１のセード１３と回転枠２３とにリベットが軸方向を水平方向に向けて挿通されることにより、灯体１を略垂直な面内で所定の回転軸（例えば上記リベットの中心軸）周りに回転可能に支持している。器体２に対する灯体１の回転範囲は、図２に示すようにソケット台１２の下端が保持枠２２の上面に当接して光源Ｌａの光が直下に照射される垂直向きと、図３に示すように光源Ｌａの光が斜め下方に照射される斜め向きとの間となっている。さらに、回転枠２３を枠体２１に対して水平な面内で回転させることで、水平方向での灯体１の向きの変更が可能となっている。
【００１８】
さらに、回転枠２３において、上方から見て灯体１の回転軸を挟む両側には、それぞれ２個ずつの保護片２３ａ，２３ｂが上方へ突設されている。各保護片２３ａ，２３ｂは、それぞれ上方へ向かって枠体２１の径方向の内向きに傾斜している。ここで、灯体１のソケット１１やセード１３や光源Ｌａは高温となりやすいが、保持枠２２の上側において、天井材ＣＥの上側に配設される各種のケーブルと光源Ｌａやソケット１１やセード１３との接触は、灯体１のソケット台１２や上記の保護片２３ａ，２３ｂによって防止される。上記の保護片２３ａ，２３ｂと灯体１の各部とは、灯体１が回転枠２３に対して回転したときに互いに接触しないような形状及び配置となっている。
【００１９】
さらに、端子台保持板２６は、例えば外側片２２ｂへのねじ止めによって保持枠２２に対して固定された固定部２６ａと、固定部２６ａの上端部から上方に突設され上方に向かって枠体２１の径方向の外側に傾斜した支持部２６ｂと、支持部２６ｂの上端から上方に突設され上方に向かって枠体２１の径方向の内側に傾斜して端子台３が固定された端子台保持部２６ｃと、端子台保持部２６ｃの上端から枠体２１の径方向の内側へ突設され厚さ方向を上下方向に向けた遮熱部２６ｄとを有する。端子台３は、端子台保持部２６ｃにおいて斜め上に向けられた面に例えばねじ止めによって固定されており、斜め上方向から給電線Ｃが導入される向きとなっている。遮熱部２６ｄは、上方から見て灯体１を略覆い、光源Ｌａから上方への輻射熱を遮るものである。また、支持部２６ｂと端子台保持部２６ｃとは、それぞれ下方から見て略全体が枠体２１の外周よりも径方向の外側に突出する。
【００２０】
また、３個の係止ばね２４，２５は、枠体２１の周方向に並べて略等間隔に設けられており、それぞれ、厚さ方向を枠体２１の径方向へ向けて保持枠２２の外側片２２ｂに固定された固定部２４ａ，２５ａと、固定部２４ａ，２５ａの下端から枠体２１の径方向の外側へ突設された支持部２４ｂ，２５ｂとを備え、固定部２４ａ，２５ａと支持部２４ｂ，２５ｂとがなす角を小さくするように弾性変形可能となっている。係止ばね２４，２５のうち、端子台保持板２６の固定部２６ａを挟む２個の係止ばね（以下、「第１係止ばね」と呼ぶ。）２４については、固定部２４ａには、厚さ方向への突出寸法を下方に向かって大きくするように傾斜する形で曲げ起こされた係止片２４ｃが設けられている。これらの第１係止ばね２４が固定される外側片２２ｂにはそれぞれ上記の固定部２４ａが挿通される挿通部２２ｃがルーバ加工により設けられていて、各第１係止ばね２４の固定部２４ａはそれぞれ係止片２４ｃが挿通部２２ｃに係止されることで外側片２２ｂに対して固定されている。また、残り１個の係止ばね（以下、「第２係止ばね」と呼ぶ。）２５の固定部２５ａが固定される外側片２２ｂには引掛穴２２ｄが貫設されており、上記係止ばね２５は固定部２５ａが上記の引掛穴２２ｄに挿通されて引っ掛けられることで外側片２２ｂに対して固定されている。さらに、各第１係止ばね２４において、それぞれ支持部２４ｂの先端には、仮保持凸部２４ｄが下方に突設されている。ここで、各第１係止ばね２４は互いに同じ寸法形状であり、第２の係止ばね２５は第１係止ばね２４に比べて仮保持凸部２４ｄが設けられていない上に支持部２４ｂ，２５ｂの長さも短く、図４に示すように、各係止ばね２４，２５がそれぞれ弾性復帰した状態では、第２係止ばね２５の支持部２５ｂの先端は第１係止ばね２４の支持部２４ｂの先端よりも下側に位置する。ここで、各第１係止ばね２４においてそれぞれ支持部２４ｂが請求項における第１係止ばね部を構成し、第２係止ばね２５の支持部２５ｂが請求項における第２係止ばね部を構成する。
【００２１】
本実施形態を天井面に取り付ける際には、まず、図５に示すように、内径が器体２の枠体２１の本体部２１ａの外径よりも大きく鍔部２１ｂの外径よりも小さい円形状の埋込穴ＣＥ１を天井材ＣＥに設け、埋込穴ＣＥ１から引き出された給電線Ｃを端子台３に接続する。次に、端子台保持板２６を埋込穴ＣＥ１内（天井材ＣＥの上側）に導入した後、図５の矢印Ａ１で示すように各第１係止ばね２４を、それぞれ支持部２４ｂを固定部２４ａに密着させるように弾性変形させる。すると、各仮保持凸部２４ｄの突出方向は互いに略逆向き且つそれぞれ枠体２１の径方向の外向きとなる。この状態で図５に矢印Ａ２で示すように各第１係止ばね２４の仮保持凸部２４ｄを天井材ＣＥの上側へ導入してから各第１係止ばね２４への力を解除すれば、図１（ａ）（ｂ）に示すように各第１係止ばね２４がそれぞれ僅かに弾性復帰して各仮保持凸部２４ｄがそれぞれ天井材ＣＥに係止されることにより仮保持がなされる。ここで、上記のように各第１係止ばね２４がそれぞれ支持部２４ｂの先端を上方に向けるように弾性変形して各仮保持凸部２４ｄがそれぞれ天井材ＣＥに係止された状態（以下、「仮保持状態」と呼ぶ。）では、各仮保持凸部２４ｄの下面は保持枠２２の上面よりも上側に位置し、その上下位置の差は、使用が想定された天井材ＣＥの厚さ寸法（上下の寸法）よりも大きくされている。これにより、仮保持状態では、保持枠２２の上面は、天井材ＣＥの下面（すなわち天井面）よりも下側に位置するから、器体２を、天井材ＣＥに対して、下方から見た枠体２１からの端子台保持板２６の突出方向（図１（ｂ）での右方）へスライドさせることができる。つまり、端子台保持板２６及び端子台３を埋込穴ＣＥ１に導入した後、各仮保持凸部２４ｄによる仮保持状態のまま器体２をスライドさせることで、端子台３や端子台保持部２６において下方から見て枠体２１の外側に突出する部位を、下方から見て埋込穴ＣＥ１の外側（すなわち天井材ＣＥの上側）へ変位させることができる。
【００２２】
さらに、各係止ばね２４，２５をそれぞれ支持部２４ｂ，２５ｂの先端を上方に向けるように弾性変形させた状態では、第２係止ばね２５の上端は各第１係止ばね２４の仮保持凸部２４ｄの下面よりも下側に位置し、その上下位置の差は、使用が想定された天井材ＣＥの厚さ寸法（上下の寸法）よりも大きくされている。つまり、仮保持状態のままで、支持部２５ｂの先端を上方の埋込穴ＣＥ１に向けるように第２係止ばね２５を弾性変形させることが可能となっている。そして、仮保持状態で、第２係止ばね２５を図６の矢印Ａ３で示すように第１係止ばね２４と同様に弾性変形させながら器体３を図６の矢印Ａ４で示すように上方へ変位させると、図７に示すように各係止ばね２４，２５がそれぞれ弾性復帰してそれぞれ天井材ＣＥの上面に係止されるとともに、枠体２１の鍔部２１ｂが天井材ＣＥの下面（すなわち天井面）に当接することで、天井材ＣＥに対する器体２の上下方向への変位は禁止され、ここにおいて埋込配設は完了する。上記のように埋込配設が完了した状態では、枠体２１の本体部２１ａの外周面と埋込穴ＣＥ１の内周面との間の隙間は下方から見て枠体２１の鍔部２１ｂに覆われる。
【００２３】
また、逆に、本実施形態を取り外す際には、枠体２１の鍔部２１ｂに手の爪などを引っ掛けて器体２を下方へ引き出せば、各係止ばね２４，２５がそれぞれ徐々に弾性変形し、やがて第２係止ばね２５の先端が天井材ＣＥの下側に至ることで第２係止ばね２５が完全に弾性復帰する。その後は、各第１係止ばね２４にそれぞれ押力を加えて仮保持凸部２４ｄの係止を解除しながら、器体２を完全に埋込穴ＣＥ１から引き出すことができる。
【００２４】
上記構成によれば、３本の係止ばね２４，２５のうち２本の第１係止ばね２４を操作するだけで、仮保持凸部２４ｄの天井材ＣＥへの係脱が可能であり、第２係止ばね２５の操作は上記の係脱とは別途に行うことができ、取付時と取外時とのいずれにおいても係止ばね２４，２５を３本同時に操作する必要がないから、係止ばね２４，２５を３本とも第１係止ばね２４とする場合に比べて施工性が向上する。
【図面の簡単な説明】
【００２５】
【図１】本発明の実施形態が仮保持された状態を示す図であり、（ａ）は正面図、（ｂ）は右側面図である。
【図２】同上を示す斜視図である。
【図３】同上に給電線が接続された状態を示す斜視図である。
【図４】同上において第１係止ばねと第２係止ばねとの形状の関係を示す説明図である。
【図５】同上を天井面に取り付ける方法を示す説明図である。
【図６】同上を天井面に取り付ける方法を示す説明図である。
【図７】同上が天井面に取り付けられた状態を示す説明図である。
【図８】従来例を示す斜視図である。
【図９】同上を示す、図８とは別の方向から見た斜視図である。
【図１０】同上を配設する方法を示す説明図である。
【図１１】同上が仮保持された状態を示す斜視図である。
【符号の説明】
【００２６】
１  灯体
２  器体
２１  枠体
２２  保持枠
２３  回転枠
２４ｂ  支持部（請求項における第１係止ばね部）
２４ｄ  仮保持凸部
２５ｂ  支持部（請求項における第２係止ばね部）
ＣＥ  天井材
ＣＥ１  埋込穴
Ｌａ  光源
【図１】
0005149662.tif 000002
【図２】
0005149662.tif 000003
【図３】
0005149662.tif 000004
【図４】
0005149662.tif 000005
【図５】
0005149662.tif 000006
【図６】
0005149662.tif 000007
【図７】
0005149662.tif 000008
【図８】
0005149662.tif 000009
【図９】
0005149662.tif 000010
【図１０】
0005149662.tif 000011
【図１１】
0005149662.tif 000012